(57)【要約】【課題】煩雑な操作を要さずに、撮影状況に適さない状態で撮影が行われてしまうことを低減できるカメラまたは携帯端末装置を提供すること。【解決手段】このカメラは、電気的に映像を取り込む撮影部と、閃光を出力するフラッシュライトと、周囲照度を検出する照度センサーと、画像表示を行う表示部と、を備え、撮影部による撮影前に、照度センサーにより検出された周囲照度に応じて、フラッシュライトの動作設定を切り替え可能な設定用画像を表示部に表示させる構成を採る。【選択図】図５
2013239764.tif 000002
【特許請求の範囲】
【請求項１】
電気的に映像を取り込む撮影部と、
閃光を出力するフラッシュライトと、
周囲照度を検出する照度センサーと、
画像表示を行う表示部と、を備え、
前記撮影部による撮影前に、前記照度センサーにより検出された周囲照度に応じて、前記フラッシュライトの動作設定を切り替え可能な設定用画像を前記表示部に表示させる、
カメラ。
【請求項２】
請求項１に記載のカメラであって、
前記照度センサーにより検出された周囲照度が所定の閾値以下である場合に、前記設定用画像を表示させる、
カメラ。
【請求項３】
請求項２に記載のカメラであって、
現在の設定で予定される前記フラッシュライトの動作の逆の動作内容に切り替え可能な前記設定用画像を表示させる、
カメラ。
【請求項４】
請求項２に記載のカメラであって、
さらに、前記フラッシュライトの作動と非作動とを周囲照度に応じて自動的に切り替えるオート設定のとき、又は、前記フラッシュライトを強制的に作動させる強制発光設定のときを条件として、前記設定用画像を表示させる、
カメラ。
【請求項５】
請求項１に記載のカメラであって、
前記撮影部による撮影が複数回行われる場合に、さらに一回目の撮影の際であることを条件として、前記設定用画像を表示させる、
カメラ。
【請求項６】
請求項１に記載のカメラであって、
前記設定用画像に基づき設定された内容を、直後の撮影時にのみ反映させ、
直後の撮影が済んだ後には、前記フラッシュライトの動作設定を元の設定に戻す、
カメラ。
【請求項７】
電気的に映像を取り込む撮影部と、
画像表示を行う表示部と、を備え、
撮影機能を起動させたときに撮影に関する現在の設定内容を一覧表示する現在設定表示画像を前記表示部に表示させる、
カメラ。
【請求項８】
請求項７に記載のカメラであって、
外部操作を入力する操作部を具備し、
前記操作部により前記現在設定表示画像内の設定項目が選択された場合に、選択された設定項目の設定画面を表示して設定入力処理を実行する、
カメラ。
【請求項９】
請求項７に記載のカメラであって、
デフォルトの内容から変更されている設定項目の内容のみを前記現在設定表示画像に含める、
カメラ。
【請求項１０】
電気的に映像を取り込む撮影部と、
画像表示を行う表示部と、
撮影前であることを表わす状態を判別する判別部と、を具備し、
前記表示部が、プレビュー画像に図柄画像を重ねて表示するとともに、
前記判別部により撮影前を表わす状態が判別された場合に、前記プレビュー画像に重ねられた前記図柄画像を非表示にする、
カメラ。
【請求項１１】
請求項１０に記載のカメラであって、
前記判別部は、
撮影前を表わす状態として、オートフォーカス動作時とフォーカスロック時との何れか一方又は両方を判別する、
カメラ。
【請求項１２】
請求項１０に記載のカメラであって、
前記判別部は、
撮影前を表わす状態として、前記撮影部により取り込まれる映像の構図が所定時間停止した場合を判別する、
カメラ。
【請求項１３】
請求項１から請求項１２の何れか一項に記載のカメラを有する携帯端末装置。
【発明の詳細な説明】
【技術分野】
【０００１】
本発明は、撮影部と表示部とを有するカメラおよび携帯端末装置に関する。
【背景技術】
【０００２】
従来、デジタルカメラまたはカメラ機能付の携帯端末装置においては、撮影状況等に応じて様々な設定で撮影を行うことが可能である。
【０００３】
また、デジタルカメラまたはカメラ機能付の携帯端末装置においては、次に示すように、様々な提案がなされている。
【０００４】
例えば、特許文献１には、カメラ機能にストロボ発光機能を付加し、事前に設定されたストロボ設定に従って撮影が行われるように構成された携帯電話機が開示されている。特許文献２には、「フラッシュ発光禁止」等の文字を認識した場合にフラッシュライトを非動作とするデジタルカメラが開示されている。特許文献３には、フラッシュ禁止の無線信号を受信した場合に発光禁止モードとなるカメラシステムが開示されている。
【０００５】
また、特許文献４には、撮影設定メニューを表示する際に、使用頻度の高い順に設定項目を表示させる機能の開示がある。特許文献５には、電源投入時に、画像サイズの設定として、撮影回数が最も多い画像サイズ設定が自動的に選択される撮像装置が開示されている。
【先行技術文献】
【特許文献】
【０００６】
【特許文献１】特開２００４−１６６１２９号公報
【特許文献２】特開２００４−０６４３８６号公報
【特許文献３】特開２００７−０１３８２９号公報
【特許文献４】特開２００２−０８４４４７号公報
【特許文献５】特開２００６−０５４６４１号公報
【発明の概要】
【発明が解決しようとする課題】
【０００７】
近年のデジタルカメラにおいては、前述のように、様々な機能が付加されている反面、設定項目が多く、そのため、現在の設定内容の把握が容易でなくなり、また、設定内容の表示または設定操作が煩雑になる。
【０００８】
そのため、従来のデジタルカメラ等においては、撮影状況に適さない状態で撮影が行われてしまうことがあるという課題がある。
【０００９】
本発明の目的は、煩雑な操作なく、撮影状況に適さない状態で撮影が行われてしまうことを低減できるカメラまたは携帯端末装置を提供することである。
【課題を解決するための手段】
【００１０】
本発明の一態様に係るカメラは、電気的に映像を取り込む撮影部と、閃光を出力するフラッシュライトと、周囲照度を検出する照度センサーと、画像表示を行う表示部と、を備え、前記撮影部による撮影前に、前記照度センサーにより検出された周囲照度に応じて、前記フラッシュライトの動作設定を切り替え可能な設定用画像を前記表示部に表示させる構成を採る。
【００１１】
本発明の一態様に係るカメラは、電気的に映像を取り込む撮影部と、画像表示を行う表示部と、を備え、撮影機能を起動させたときに撮影に関する現在の設定内容を一覧表示する現在設定表示画像を前記表示部に表示させる構成を採る。
【００１２】
本発明野一態様に係るカメラは、電気的に映像を取り込む撮影部と、画像表示を行う表示部と、撮影前であることを表わす状態を判別する判別部と、を具備し、前記表示部が、プレビュー画像に図柄画像を重ねて表示するとともに、前記判別部により撮影前を表わす状態が判別された場合に、前記プレビュー画像に重ねられた前記図柄画像を非表示にする構成を採る。
【発明の効果】
【００１３】
本発明によれば、煩雑な操作なく、撮影状況に適さない状態で撮影が行われてしまうことを低減することができる。
【図面の簡単な説明】
【００１４】
【図１】本発明の実施の形態のカメラの構成を示すブロック図
【図２】実施の形態１のカメラにおける起動時の表示例を示す画像図
【図３】現在設定ポップアップ表示の対象となる設定項目の一例を説明する図
【図４】実施の形態１のカメラにおいて実行されるカメラ起動時の制御処理を示すフローチャート
【図５】フラッシュ設定の通知ポップアップ表示の一例を示す画像図
【図６】フラッシュ設定の通知ポップアップ表示の一例を示す画像図
【図７】実施の形態２のカメラにおいて実行されるフラッシュ設定制御処理を示すフローチャート
【図８】実施の形態３のカメラにおけるプレビュー画像の表示例を示す画像図
【図９】実施の形態３のカメラにおいて実行されるアイコン表示制御処理を示すフローチャート
【図１０】実施の形態３のカメラにおいて実行されるアイコン表示制御処理の変形例を示すフローチャート
【発明を実施するための形態】
【００１５】
以下、本発明の各実施の形態について図面を参照して詳細に説明する。
【００１６】
（実施の形態１）
図１は、本発明の実施の形態のカメラの構成を示すブロック図である。
【００１７】
この実施の形態のカメラは、例えば、携帯電話機などの携帯端末装置に搭載されるデジタルカメラである。このカメラは、図１に示すように、操作部１０と、制御部としてのＣＰＵ２０と、発光デバイス１１と、イメージ制御処理部１２と、撮像素子１３と、装置外の周辺照度を検出する照度センサー１４と、姿勢制御センサー１５と、メモリ１６と、表示制御部１７と、表示部としてのディスプレイ１８等を備えている。
【００１８】
操作部１０は、ディスプレイ１８上に配置されたタッチセンサー、および、複数の操作キーを有し、ユーザーによる外部操作を受けて操作指令を入力する。操作部１０には、半押しおよび全押しを検出できる操作キーが含まれていてもよい。
【００１９】
発光デバイス１１は、閃光を出力できるフラッシュライト等である。
【００２０】
撮像素子１３は、ＣＣＤ（Charge-Coupled Device）又はＣＭＯＳ（Complementary Metal Oxide Semiconductor）イメージセンサーなどであり、映像を電気信号へ変換する。撮像素子１３の周囲には、撮像素子１３へ映像を結ぶレンズ、および、フォーカスを合わせるためにレンズを駆動する駆動部が設けられている。
【００２１】
イメージ制御処理部１２は、ＣＰＵ２０の指令に基づき、撮像素子１３から撮影映像の電気信号を取り込んで画像データを生成する信号処理を行う。また、イメージ制御処理部１２は、ＣＰＵ２０の指令に基づき、発光デバイス１１およびレンズ駆動部の制御を行う。イメージ制御処理部１２、撮像素子１３、レンズ、および、レンズ駆動部を組み合わせた構成が撮影部に相当する。
【００２２】
姿勢制御センサー１５は、例えば、３軸加速度センサー、地磁気センサー、ジャイロセンサー等の１つまたは複数を含み、装置の動きを検出する。
【００２３】
ディスプレイ１８は、液晶ディスプレイまたは有機ＥＬ（Electro Luminescence）ディスプレイなど、画像表示が可能な表示部である。表示制御部１７は、ＣＰＵ２０の指令に基づいてディスプレイ１８に画像表示を行う。
【００２４】
メモリ１６には、制御プログラムおよび各種の設定データが格納されている。
【００２５】
ＣＰＵ２０は、メモリ１６に格納されたプログラムを実行してカメラ機能全体の制御を行う。
【００２６】
（動作説明）
次に、実施の形態１のカメラにおいて行われる現在設定ポップアップ表示について説明する。
【００２７】
図２には、実施の形態１のカメラにおける起動時の表示例を示す画像図を、図３には、現在設定ポップアップ表示の対象となる設定項目の一例を説明する図を示す。
【００２８】
一般に、デジタルカメラには、多数の設定項目および設定内容が存在するため、何ら工夫がないと、ユーザーは、カメラ使用時に、前回のカメラ使用時に設定していた設定内容を把握することが難しい。特に、カメラ機能の使用頻度が低い場合には、設定内容の把握は非常に困難となる。また、設定内容には、撮影画像をセピア色にする設定など、見た目上分かり易い設定内容があれば、ホワイトバランスの曇天設定など、一見では分かり難い設定内容もある。そのため、前回のカメラ使用時に撮影状況に合わせて設定内容を変更し、今回のカメラ使用時に設定内容を把握できないと、今回の撮影状況に幾分適さない設定内容のまま気づかずに撮影が行われてしまうという課題が生じる。
【００２９】
実施の形態１のカメラにおいては、上記の課題を解決するため、図２に示すような、現在設定ポップアップ表示４１の機能が備わっている。この現在設定ポップアップ表示４１が、撮影に関する現在の設定内容を一覧表示する現在設定表示画像に相当する。
【００３０】
先ず、カメラ機能の設定項目について説明する。
【００３１】
この実施の形態１のカメラには、図３に示すように、カメラ機能に関する複数の設定項目が備わっている。複数の設定項目には、例えば、「フォーカス」、「ホワイトバランス」、「露出補正」など、多数の項目が含まれる。また、各々の設定項目には、複数の設定内容があり、ユーザーは複数の設定内容の中から所望の設定内容を選択して設定することができる。例えばフォーカス設定では、「オート（Ａｕｔｏ）」、「∞固定」、「マクロ固定」等々、多数の設定内容の中から何れかを設定することができる。また、複数の設定項目の中には、全部の設定項目をデフォルト設定（初期状態）に戻すことのできる「一括初期化」という項目も含まれる。
【００３２】
これら複数の設定項目については、カメラ機能の作動中に、ユーザーが操作部１０を操作して、ディスプレイ１８にメニュー表示を行わせることで、内容を設定できる構成となっている。また、変更された設定内容はメモリ１６に保存されて、カメラ機能が一旦オフにされても、次回のカメラ機能の作動時に反映されるようになっている。
【００３３】
次に、現在設定ポップアップ表示４１について説明する。
【００３４】
現在設定ポップアップ表示４１は、図２に示すように、例えば、設定内容がデフォルト設定から変更されている設定項目およびその設定内容を、現在の設定として一覧表示するものであり、カメラ機能の起動時にディスプレイ１８に自動的に表示される。
【００３５】
現在設定ポップアップ表示４１は、カメラ動作時の通常の画面に重なるように表示出力される。通常の画面とは、例えば、プレビュー画像（撮像素子１３により現在取り込まれている映像の簡易画像）が全面に表示され、且つ、メニューおよびアイコン等が周囲の表示エリア４２，４３に表示される画面である。
【００３６】
ユーザーは、カメラ機能の起動時に、何らの操作を行うことなく現在設定ポップアップ表示４１を見ることができ、煩雑な操作を要さずに現在の設定内容を把握することが可能となる。
【００３７】
現在設定ポップアップ表示４１では、表示されている設定項目または設定内容を選択操作（例えば指で触れる操作など）することで、選択した設定項目の設定メニューへ移行することが可能になっている。設定メニューでは、ユーザーは、設定内容を選択して設定変更の操作ができる。設定内容の変更後には、ディスプレイ１８の表示内容は、現在設定ポップアップ表示４１の表示画面に戻る。
【００３８】
また、現在設定ポップアップ表示４１には、図２に示すように、「一括初期化」の操作選択部４５（文字列または図柄など）と、「Ｐ．Ｕ．表示終了」の操作選択部４６（文字列または図柄など）とが併せて表示される。「一括初期化」の操作選択部４５は、現在の設定内容を全項目について一括してデフォルトの設定に変換するための表示であり、「Ｐ．Ｕ．表示終了」の操作選択部４６は、現在設定ポップアップ表示４１の表示を終了するための表示である。ユーザーは、これらの操作選択部４５，４６を指示操作することで、対応する指令を装置へ入力することができる。
【００３９】
現在設定ポップアップ表示４１は、表示終了の選択操作があるか、所定時間が経過すると終了される。そして、ディスプレイ１８の表示内容が、カメラ機能時の通常の内容（例えばプレビュー表示）に戻る。
【００４０】
続いて、上記の現在設定ポップアップ表示４１を実現する制御処理の一例について説明する。
【００４１】
図４は、実施の形態１のカメラにより実行されるカメラ起動時の制御処理のフローチャートである。図４においては、現在設定ポップアップ表示４１を単に「ポップアップ」と表わしている。
【００４２】
この制御処理は、カメラ機能が起動されたときにＣＰＵ２０により開始される。カメラ機能の起動とは、デジタルカメラ専用機であれば例えば電源投入であり、デジタルカメラを備えた携帯端末装置など多機能装置であれば、他の動作モードからカメラ機能の動作モードへの移行に相当する。なお、カメラ機能が起動されると、図４の制御処理と並行して、プレビューの処理も実行される。
【００４３】
この制御処理が開始されると、ＣＰＵ２０は、メモリ１６の設定データを参照して、デフォルト設定値から変更されている設定項目を検索する（ステップ１０１）。そして、ＣＰＵ２０は、検索された設定項目とその設定内容とを一覧にした現在設定ポップアップ表示４１をディスプレイ１８に表示させる（ステップ１０２）。
【００４４】
続いて、ＣＰＵ２０は、操作部１０から現在設定ポップアップ表示４１の選択操作の入力があるか判別しながら一定時間の経過を待機する（ステップ１０３）。そして、操作がなく一定時間が経過したら、ＣＰＵ２０は、現在設定ポップアップ表示４１の表示出力を終了する（ステップ１０４）。表示出力終了後は、ＣＰＵ２０の処理はカメラ機能の通常の処理へ移行する。
【００４５】
一方、ステップ１０３で、選択操作があれば、ＣＰＵ２０は、「一括初期化」の選択操作か、「Ｐ．Ｕ．表示終了」の選択操作か、個別の設定項目の選択操作かを判別する（ステップ１０５、１０６）。そして、ＣＰＵ２０は、選択操作に応じたステップへ処理を移行する。
【００４６】
すなわち、ＣＰＵ２０は、「Ｐ．Ｕ．表示終了」の選択操作と判別すれば（ステップ１０５のＹＥＳ）、ステップ１０４へ処理を移行して、現在設定ポップアップ表示４１の表示出力を終了する。また、「一括初期化」の選択操作と判別すれば（ステップ１０６のＹＥＳ）、ＣＰＵ２０は、カメラ機能の全ての設定をデフォルトの内容に変更する（ステップ１０７）。そして、ＣＰＵ２０は、ステップ１０４へ処理を移行して、現在設定ポップアップ表示４１の表示出力を終了する。
【００４７】
また、ＣＰＵ２０は、個別の設定項目の選択操作と判別すれば（ステップ１０６のＮＯ）、選択操作された設定項目を選択的に識別する（ステップ１０８）。続いて、ＣＰＵ２０は、識別した設定項目について設定メニュー処理（設定メニューの表示と操作入力の処理）を実行し（ステップ１０９）、ユーザーの操作入力を受けて入力された設定内容でメモリ１６の設定データを変更する（ステップ１１０）。そして、ＣＰＵ２０は、再びステップ１０１へ処理を戻す。
【００４８】
このような制御処理により、上述した現在設定ポップアップ表示４１が実現される。
【００４９】
以上のように、実施の形態１のカメラによれば、カメラ機能の起動時に自動的に現在設定ポップアップ表示４１が行われるので、ユーザーは煩雑な操作を要せずに現在の設定を把握して、意図しない設定で撮影が行われることを防ぐことができる。
【００５０】
また、意図しない設定があった場合には、ユーザーは、現在設定ポップアップ表示４１の中から設定項目を選択操作することで、簡単に設定を修正することができる。
【００５１】
また、現在設定ポップアップ表示４１には、設定内容がデフォルトの内容から変更されている設定項目のみが含まれるので、ユーザーは簡単な確認で現在の設定内容を把握することができる。
【００５２】
なお、現在設定ポップアップ表示４１には、設定内容がデフォルト設定であっても表示される設定項目が含まれていてもよい。また、表示対象となる設定項目が多くなったときには、表示優先度の高い項目が優先的に表示され、表示優先度の低い項目は表示されない構成を採用してもよい。この表示優先度は、図３に示すように、各設定項目と対応づけられてメモリ１６等に記憶させておけばよい。また、この表示優先度は、ユーザーにより設定変更可能な構成としてもよい。
【００５３】
（実施の形態２）
実施の形態２のカメラは、フラッシュ設定についての機能が追加されている点が実施の形態１と異なり、その他の構成は実施の形態１と同様である。同様の構成については、同一の符号を付して、詳細な説明を省略する。
【００５４】
図５および図６は、フラッシュ設定の通知ポップアップ表示の一例を示す画像図である。
【００５５】
一般的なデジタルカメラでは、フラッシュの設定内容として、強制発光、発光なし、オート（自動）などが備わっている。そのため、ユーザーがフラッシュの設定内容を忘れて撮影を行い、フラッシュの好ましくない場所、またはフラッシュを付けたくない場所で、意図せずにフラッシュを動作させてしまうことがあった。また、このような不都合が生じないようにするため、ユーザーは、設定メニューを開いてフラッシュの設定内容を確認するといった煩雑な操作を行う必要があった。また、フラッシュの設定がオートになっている場合には、その時点の撮影でフラッシュが作動するのか否かを判別することが難しく、意図せずにフラッシュを動作させてしまうという不都合が生じることがあった。
【００５６】
実施の形態２のカメラは、このような課題を解決するため、図５および図６に示すように、フラッシュ設定の通知ポップアップ表示５１の機能を備えている。この通知ポップアップ表示５１が、フラッシュライトの動作設定を切り替え可能な設定用画像に相当する。
【００５７】
フラッシュ設定の通知ポップアップ表示５１は、撮影前に、周囲照度が所定の閾値以下である場合に、ディスプレイ１８に表示される。周囲照度は、照度センサー１４により検出される。所定の閾値は、例えば、オートフラッシュの設定でフラッシュの作動と非作動とを識別する値に設定されている。
【００５８】
この実施の形態では、通知ポップアップ表示５１を表示する機会が、カメラ機能の起動後の１回目の撮影の際のみに限られる構成を採用している。
【００５９】
通知ポップアップ表示５１を行うか否かの判断は、構図の確認およびフォーカスの調整など、撮影準備を示す操作があったときに行われる。具体的には、このタイミングは、オートフォーカスロックの操作（シャッターボタンの半押し、フォーカスロックボタンの押下、または、タッチセンサーを介してフォーカスロックの対象の選択操作など）が行われた際である。
【００６０】
なお、通知ポップアップ表示５１を表示する機会は、毎回の撮影の際に設定されてもよい。また、撮影間隔が所定時間以上開いた場合に、再度、通知ポップアップ表示５１を表示する機会が設定されてもよい。また、通知ポップアップ表示５１を最初の一回目の撮影の際のみに限る場合には、撮影準備の操作が行われるより前、例えば、カメラ機能の起動時に通知ポップアップ表示５１を行うようにしてもよい。
【００６１】
通知ポップアップ表示５１は、プレビュー表示上に重なるように出力される。通知ポップアップ表示５１には、現時点で撮影を行った場合に、フラッシュが発光するか否かを表わす内容が含まれる。また、通知ポップアップ表示５１には、現時点のフラッシュの動作内容を逆の内容（すなわちオンからオフ、またはオフからオン）へ切り替えるか問い合わせる表示が含まれる。
【００６２】
また、通知ポップアップ表示５１には、フラッシュの設定を現状の動作内容の逆の設定に少ない操作（例えば１回の選択操作）で切替え可能な操作選択部５２が付加されている。ユーザーは、この操作選択部５２を選択操作（タッチ操作など）することで、フラッシュの設定を切り替えることができる。
【００６３】
また、通知ポップアップ表示５１には、この表示を終了させるための操作選択部５３が付加されている。通知ポップアップ表示５１は、ユーザーが終了の操作選択部５３を選択操作するか、或いは、所定の時間が経過することで、終了する。
【００６４】
通知ポップアップ表示５１でフラッシュ設定が切り替えられた場合、この設定は、続いて行われる複数回の撮影の際にも反映されるようになっている。
【００６５】
なお、通知ポップアップ表示５１の表示機会が、毎回の撮影の際に設定されている構成が採用される場合には、次のような設定としてもよい。すなわち、通知ポップアップ表示５１でフラッシュ設定が切り替えられた場合に、この切り替えられたフラッシュ設定は、直後の一回の撮影時のみ有効とし、その後、自動的に元のフラッシュ設定に戻るようにしてもよい。
【００６６】
続いて、上記の通知ポップアップ表示５１を実現する制御処理の一例について説明する。
【００６７】
図７は、実施の形態２のカメラにおいて実行されるフラッシュ設定制御処理を示すフローチャートである。図７においては、通知ポップアップ表示５１を単に「ポップアップ」と表わしている。
【００６８】
図７のフラッシュ設定制御処理は、カメラ機能が起動されたときにＣＰＵ２０により開始される。カメラ機能が起動されると、図７のフラッシュ設定制御処理とともに、プレビュー表示および操作に応じてカメラ動作を実行させるカメラ制御処理が並行して実行される。
【００６９】
フラッシュ設定制御処理が開始されると、ＣＰＵ２０は、操作部１０からオートフォーカス（ＡＦ）ロックの操作信号が入力されるのを待機し（ステップ２０１）、入力されたら次のステップへ処理を進める。そして、次へ進んだら、ＣＰＵ２０は、通知ポップアップ表示５１がカメラ機能の起動から初めてか否かを判別する（ステップ２０２）。
【００７０】
その結果、初めてならば、ＣＰＵ２０は、照度センサー１４の出力に基づき周囲照度が閾値以下か判別する（ステップ２０３）。
【００７１】
その結果、周囲照度が閾値以下であると判別したら、ＣＰＵ２０は、現在のフラッシュ設定を確認する（ステップ２０４、２０５）。そして、オート設定または強制発光の設定であれば、ＣＰＵ２０は、フラッシュ設定をオフするか問う内容を含んだ通知ポップアップ表示５１をディスプレイ１８に表示させる（ステップ２０６）。一方、発光なしの設定であれば、ＣＰＵ２０は、フラッシュ設定をオンするか問う内容を含んだ通知ポップアップ表示５１をディスプレイ１８に表示させる（ステップ２１０）。
【００７２】
ステップ２０６で通知ポップアップ表示５１を行った場合、ＣＰＵ２０は、一定時間のカウントを開始して、その間に通知ポップアップ表示５１の選択操作がないか待機する（ステップ２０７）。そして、操作なく一定時間が経過すれば、ＣＰＵ２０は、そのまま通知ポップアップ表示５１の出力を終了する（ステップ２１４）。
【００７３】
一方、選択操作があれば、終了の操作選択部５３が選択されたか判別し（ステップ２０８）、そうであればＣＰＵ２０は、通知ポップアップ表示５１の出力を終了する（ステップ２１４）。また、そうでなければ（フラッシュ設定を切り替える操作選択部５２の選択であれば）、ＣＰＵ２０は、フラッシュ設定をオフ（発光なし）にして（ステップ２０９）、通知ポップアップ表示５１の出力を終了する（ステップ２１４）。
【００７４】
ステップ２１０で通知ポップアップ表示５１を行った場合、ＣＰＵ２０は、一定時間のカウントを開始して、その間に通知ポップアップ表示５１の選択操作がないか待機する（ステップ２１１）。そして、操作なく一定時間が経過すれば、ＣＰＵ２０は、そのまま通知ポップアップ表示５１の出力を終了する（ステップ２１４）。
【００７５】
一方、ステップ２１１で選択操作があれば、終了の操作選択部５３が選択されたか判別し（ステップ２１２）、そうであればＣＰＵ２０は、通知ポップアップ表示５１の出力を終了する（ステップ２１４）。また、そうでなければ（フラッシュ設定を切り替える操作選択部５２の選択であれば）、ＣＰＵ２０は、フラッシュ設定をオン（強制発光）にして（ステップ２１３）、通知ポップアップ表示５１の出力を終了する（ステップ２１４）。
【００７６】
また、ステップ２０２の判別処理で、通知ポップアップ表示５１がカメラ起動後最初でないと判別した場合には、ＣＰＵ２０は、前回の通知ポップアップ表示５１の際のフラッシュ設定を呼び出して、この設定にする（ステップ２１６）。
【００７７】
ステップ２１４で通知ポップアップ表示５１の出力を終了した場合、ステップ２０３で周囲照度が閾値以上と判別された場合、並びに、ステップ２１６の設定が行われた場合には、次いで、ＣＰＵ２０は、オートフォーカスロックが解除されるのを待機する（ステップ２１５）。オートフォーカスロックの解除は、例えば、シャッターボタンが押下されて撮影が実行されたとき、或いは、オートフォーカスロックの解除操作が行われたときなどである。
【００７８】
そして、オートフォーカスロックが解除されたら、ＣＰＵ２０の処理は、再びステップ２０１に戻る。
【００７９】
なお、図７のフラッシュ設定制御処理は、ステップ２０２の通知ポップアップ表示５１の表示が始めてかの判別処理を省くことで、毎回の撮影の際に通知ポップアップ表示５１がなされる処理となる。このような、初回のみか毎回かの切り替えは、ユーザーが設定できるようにしてもよい。
【００８０】
このようなフラッシュ設定処理により、上述した通知ポップアップ表示５１が実現される。
【００８１】
以上のように、実施の形態２のカメラによれば、周囲照度に応じて、次の撮影でフラッシュの発光の有無と設定の切り替えの要否を確認する通知ポップアップ表示５１がなされる。よって、フラッシュの好ましくない場所、または、フラッシュを付けたくない場所で、ユーザーが意図せずにフラッシュを動作させてしまうことが回避される。そして、ユーザーは、意図しない設定であった場合に、速やかに設定を切り替えて撮影を行うことができる。また、設定の切り替えに煩雑な操作も必要ない。
【００８２】
また、実施の形態２のカメラによれば、通知ポップアップ表示５１には、その時点におけるフラッシュ動作の設定を逆の設定に切り替える操作選択部５２のみが、設定切替え用の表示として付加されている。よって、分かり易く簡単な操作で設定の切り替えが可能となる。
【００８３】
また、実施の形態２のカメラによれば、通知ポップアップ表示５１を、カメラ機能の起動後の最初の一回にのみ表示させ、通知ポップアップ表示５１により設定が決定されたら、続いて行われる複数回の撮影の際にも、この設定が反映される。このような構成によれば、連続的に複数回の撮影を行う場合に、通知ポップアップ表示５１が撮影の邪魔になることがない。
【００８４】
（実施の形態３）
実施の形態３のカメラは、プレビュー画像の撮影直前の表示処理が実施の形態１または２と異なり、その他の構成は実施の形態１または２と同様である。同様の構成については、同一の符号を付して、詳細な説明を省略する。
【００８５】
図８は、実施の形態３のカメラにおけるプレビュー画像の表示例を示す画像図である。
【００８６】
一般的なデジタルカメラでは、撮影前の撮影映像を簡易的に表示出力するプレビュー画像において、その周囲に、設定内容またはメニュー項目を表わす複数のアイコン（図柄）表示が行われることがある。そして、これらのアイコン表示によってプレビュー画像の一部が隠された状態になる。通常、撮影画像の周辺部には、被写体の主要な部位が配置されないため、アイコン表示等により映像の一部が隠されることは余り問題とならない。しかしながら、撮影画像の周辺部に明るい光源等があって、これがアイコン表示等により隠されていると、プレビューで確認した映像と撮影結果との印象の差が大きく異なってしまうという課題が生じる。
【００８７】
また、一般的なデジタルカメラにおいては、設定メニューの選択によって、プレビュー画像に重なるアイコン表示等を消すことのできる機能が備わるものもある。しかしながら、アイコン表示等を消すのに煩雑な操作が必要となり、また、常にアイコン表示等を消していたのでは、アイコン表示等から有用な情報が得られなくなるという課題が生じる。
【００８８】
実施の形態３のカメラは、このような課題を解決するため、図８に示すような、アイコン自動非表示機能が備わっている。
【００８９】
アイコン自動非表示機能とは、図８（Ａ）に示されるような通常プレビュー表示から、所定の条件で、図８（Ｂ）に示されるような撮影直前用の表示に自動的に切り替える機能である。
【００９０】
通常プレビュー時の表示は、図８（Ａ）に示すように、周囲の表示エリア４２，４３において、プレビュー画像とアイコン表示およびメニュー表示とが重ねられた表示である。
【００９１】
撮影直前用の表示は、図８（Ｂ）に示すように、周囲の表示エリア４２，４３のアイコン表示およびメニュー表示が消去されて、これらの表示エリア４２，４３も含めてプレビュー画像のみが出力される表示である。
【００９２】
撮影直前用の表示へ切り替える条件は、この実施の形態では、オートフォーカスのフォーカスサーチが開始されたときという条件が採用されている。ＣＰＵ２０が、この条件を判別する判別部に相当する。この条件であれば、オートフォーカスの操作後にフォーカスがロックされたら自動的に撮影が行われる機能を有するカメラにおいても、撮影前に期間的な余裕を持って撮影直前用の表示を行うことができる。
【００９３】
なお、撮影直前用の表示へ切り替える条件としては、フォーカスロックされたときという条件が採用されても良い。フォーカスロック後に撮影の操作が行われた場合に撮影が実行されるカメラであれば、この条件としても撮影前に時間的な余裕を持って撮影直前用表示を行うことができる。
【００９４】
撮影直前用の表示から通常プレビュー表示へ戻される条件は、撮影が実行されるか、或いは、フォーカスロックが解除されるかした場合である。
【００９５】
続いて、アイコン自動非表示機能を実現する制御処理の一例について説明する。
【００９６】
図９は、実施の形態３のカメラにおいて実行されるアイコン表示制御処理を示すフローチャートである。
【００９７】
図９のアイコン表示制御処理は、カメラ機能が起動されたときにＣＰＵ２０により開始される。カメラ機能が起動されると、このアイコン表示制御処理とともに、プレビュー表示および操作に応じたカメラ動作を実行させるカメラ制御処理が並行して実行される。
【００９８】
アイコン表示制御処理が開始されると、ＣＰＵ２０は、先ず、カメラ機能用のアイコンをディスプレイ１８に表示させ（ステップ３０１）、オートフォーカス（ＡＦ）のサーチが開始されるのを監視する（ステップ３０２）。そして、オートフォーカスのサーチが開始されたら、ＣＰＵ２０は、ディスプレイ１８上のアイコンを非表示にする（ステップ３０３）。
【００９９】
続いて、ＣＰＵ２０は、撮影の実行と、オートフォーカスのロック状態からロック解除状態への変化の有無を監視する（ステップ３０４、３０５）。そして、撮影の実行か、或いは、ロック解除状態への変化があれば、ディスプレイ１８にカメラ機能用のアイコンを再表示させる（ステップ３０６）。再表示を行ったら、ＣＰＵ２０は、再びステップ３０２へ処理を戻す。
【０１００】
このようなアイコン表示制御処理により、上述のアイコン自動非表示機能が実現される。
【０１０１】
（実施の形態３の変形例）
アイコン自動非表示機能においては、撮影直前用の表示へ切り替える条件として、被写体の構図が決まった場合という条件を採用してもよい。この変形例は、この条件を採用した構成である。
【０１０２】
図１０は、実施の形態３のカメラにおいて実行されるアイコン表示制御処理の変形例を示すフローチャートである。
【０１０３】
図１０のアイコン表示制御処理は、カメラ機能が起動されたときにＣＰＵ２０により開始される。カメラ機能が起動されると、このアイコン表示制御処理とともに、プレビュー表示および操作に応じたカメラ動作を実行させるカメラ制御処理が並行して実行される。
【０１０４】
アイコン表示制御処理が開始されると、ＣＰＵ２０は、先ず、カメラ機能用のアイコンをディスプレイ１８に表示させる（ステップ３１１）。
【０１０５】
次いで、ＣＰＵ２０は、カウントを開始して、所定時間、被写体の構図が停止しているか判別を行う（ステップ３１２）。この判別は、ＣＰＵ２０が姿勢制御センサー１５の出力からカメラの姿勢が所定時間ほぼ静止していることを解析することで行われる。或いは、この判別は、ＣＰＵ２０が、イメージ制御処理部１２から得られる映像データを解析して、映像内容がほぼ所定時間静止したことを解析することで行われる。或いは、これら両方の解析に基づいて判別が行われる。
【０１０６】
そして、構図が停止したと判別したら、ＣＰＵ２０は、ディスプレイ１８上のアイコンを非表示にする（ステップ３１３）。
【０１０７】
続いて、ＣＰＵ２０は、被写体の構図の変化の有無、および、撮影の実行の有無を監視する（ステップ３１４、３１５）。そして、構図の変化か撮影の実行があれば、ディスプレイ１８にカメラ機能用のアイコンを再表示させる（ステップ３１６）。再表示を行ったら、ＣＰＵ２０は、再びステップ３１２へ処理を戻す。
【０１０８】
このようなアイコン表示制御処理により、上述のアイコン自動非表示機能を実現することもできる。
【０１０９】
以上のように、実施の形態３のカメラによれば、ユーザーは、撮影前に撮影画像の全体をディスプレイ１８の全体で確認することができ、思い通りの撮影画像を得ることができる。また、撮影直前の期間だけアイコン表示等が自動的に消去され、その他の期間にはアイコン表示等のある通常プレビュー表示となるので、ユーザーは、通常プレビュー表示においてアイコン表示等から有用な情報を得ることができる。
【０１１０】
以上、本発明の各実施の形態について説明した。
【０１１１】
なお、上記実施の形態では、ディスプレイ上にタッチセンサーを備えたカメラを例にとって説明したが、方向キーと決定キーとで操作を行うカメラに本発明を適用することもできる。この場合、ポップアップ表示の操作選択部は、方向キーによる選択操作と決定キーによる決定の操作により選択操作することができる。
【産業上の利用可能性】
【０１１２】
本発明は、例えばデジタルスチルカメラ、又は、撮影機能を備えた携帯端末装置に適用できる。
【符号の説明】
【０１１３】
１０  操作部
１１  発光デバイス
１２  イメージ制御処理部
１３  撮像素子
１４  照度センサー
１５  姿勢制御センサー
１６  メモリ
１７  表示制御部
１８  ディスプレイ
２０  ＣＰＵ
【図１】
2013239764.tif 000003
【図２】
2013239764.tif 000004
【図３】
2013239764.tif 000005
【図４】
2013239764.tif 000006
【図５】
2013239764.tif 000007
【図６】
2013239764.tif 000008
【図７】
2013239764.tif 000009
【図８】
2013239764.tif 000010
【図９】
2013239764.tif 000011
【図１０】
2013239764.tif 000012